(57)【要約】【課題】ホワイトボード、ファイルケース、及びファイルボードの役割を一体に兼ね備える利便性の高いマグネット式ファイルボードの提供。【解決手段】このファイルボードは、本体ボード１０の正面に設けられる透明のＰＶＣ板２０と、本体ボード１０の上端部に設けられる磁石装置４０内蔵の副体ボード３０と、本体ボード１０の一側縁部に設けられ、ペンを差し込んでおく筆入れ１１とを備え、書類を本体ボード１０とＰＶＣ板２０との間のスペース２１に収納し、この書類を副体ボード３０により挟んで固定する。書類の上のＰＶＣ板２０の上にペンで書き込みが可能である。【選択図】図５
0003153948.tif 000002
【実用新案登録請求の範囲】
【請求項１】
本体ボードと、
前記本体ボードに設けられるＰＶＣ板と、
前記本体ボードに設けられる副体ボード及び筆入れと、
前記副体ボードの中に設置される磁石装置と、
を備えて構成される、
ことを特徴とするマグネット式ファイルボード。
【請求項２】
ＰＶＣ板は透明で本体ボードの正面に付設されてホワイトボードのように筆記及び消し取り自在に構成される請求項１に記載のマグネット式ファイルボード。
【請求項３】
副体ボードの中に磁石装置としてマグネットシートが入っており、本体ボードに吸着可能に構成される請求項１に記載のマグネット式ファイルボード。
【請求項４】
筆入れは本体ボードの縁に設けられる請求項１に記載のマグネット式ファイルボード。
【請求項５】
本体ボードの裏面に止めピースが設けられ、前記本体ボードの裏面と前記止めピースとの間にスペースを有する請求項１に記載のマグネット式ファイルボード。
【請求項６】
本体ボードとＰＶＣ板との間にスペースを有する請求項１に記載のマグネット式ファイルボード。
【請求項７】
本体ボードの上端に穴が開けられる請求項１に記載のマグネット式ファイルボード。
【請求項８】
本体ボードの上端の穴に吸盤が付けられる請求項７に記載のマグネット式ファイルボード。
【考案の詳細な説明】
【技術分野】
【０００１】
本考案はホワイトボード、ファイルケース、及びファイルボードの役割を一体に兼ね備えるマグネット式ファイルボードに関する。
【背景技術】
【０００２】
従来のファイルボードは一つのボードに金属クリップが付けられていて、このクリップで書類を挟むようになっている。この種のファイルボードが特許文献１などに記載されている。
【先行技術文献】
【特許文献】
【０００３】
【特許文献１】実用新案登録第３０５７０７９号公報
【考案の概要】
【考案が解決しようとする課題】
【０００４】
しかしながら、上記従来のファイルボードでは、次のような課題がある。
（１）このようなファイルボードを製造する場合、金属クリップを付けるための専門的な加工機械が必要で、かなり大規模な製造工場でなければならない。
（２）しかも、金属クリップを作るためには、鉄片、針金、スプリングなどの金属材料が多く使われるため、生産コストがやや高くなるという難点がある。
（３）また、従来のファイルボードは書類を挟む機能を有するだけで、他の文書を持ち歩くには、また別にファイルケースを用意しなければならないため、実用上、利便性を欠くことが多い。
（４）また、この種のファイルボードの外見は全部同じで、自由に模様を変えることができない。
（５）そして、使用者が書類の内容を説明する時に、大切な書類に（直接）書き込みを行うわけにはいかないので、書類とは別に、予めメモ用具を準備しなければならない。
以上の点から明らかなように、従来のファイルボードはユーザーフレンドリーとは言い難いものであった。
【０００５】
本考案は、このような従来の課題を解決するものであり、ホワイトボード、ファイルケース、ファイルボードの利点をことごとく取り入れ、一つに融合して、最小限の手間で最大限の利便性を得ることのできる優れたマグネット式ファイルボードを提供すること、を目的とする。
【課題を解決するための手段】
【０００６】
上記目的を達成するために、本考案のマグネット式ファイルボードは、本体ボードの上に付けるPVC板と、前記本体ボードに繋ぎ止められた副体ボードと筆入れと、前記副体ボードの中に設置された磁石装置とを備え、これらのパーツから構成されることを特徴とする。
【０００７】
また、本考案のマグネット式ファイルボードは、次のように具体化される。
（１）本体ボードの正面は透明なPVC板になっており、ホワイトボードのように書き消し自在に構成される。
（２）副体ボード中には磁石装置としてマグネットシートが入っており、本体ボードに吸い付けることが可能に構成される。
（３）本体ボードの縁に筆入れが設けられる。
（４）止めピースと本体ボードの間に裏面スペースを保有する。
（５）PVC板と本体ボードの間に中央スペースを保有する。
（６）本体ボードの上端の両側に穴が開けられる。
（７）本体ボードの上端の両側の穴に吸盤がつけられる。
【考案の効果】
【０００８】
本考案は、上記の構成により、次のような効果を奏する。
（１）一つのボードにホワイトボード、ファイルケース、ファイルボードの三つ以上の働きを有し、従来のファイルボードと異なり、ファイルボードの他にホワイトボードやファイルケースが必要な場合でもこれらを携行する必要がなく、持ち歩く物が少なくて済む。使用者の負担は僅かで、得られる利便性は大きい。
（２）金属クリップを廃止し、鉄片、針金などの金属材料を使わないので、生産コストを著しく下げて、価額を引き下げることができ、使用者により安くより便利なファイルボードを使用させることができる。
（３）ホワイトボードの代わりに使用できるため、紙の節約になり、地球に優しい。地球に優しくすることで、我々人類自身もその恩恵を受けて、生活環境はもっと良くなる。
【図面の簡単な説明】
【０００９】
【図１】本考案の第１の実施の形態におけるマグネット式ファイルボードを示す正面側から見た斜視図
【図２】同マグネット式ファイルボードの使用例を示し、本体ボードとＰＶＣ板との間の中央スペースに書類を収納し、副体ボードを本体ボードの上に倒して副体ボード内のマグネットシートを本体ボードに吸着させることで、この副体ボードにより中央スペース内の書類を挟み固定し、また、本体ボードの脇の筆入れにホワイトボードペンを差し込んだ状態を示す正面側から見た斜視図
【図３】同マグネット式ファイルボードの使用例を示し、本体ボードと止めピースとの間の裏面スペースを利用して書類を収納した状態を示す背面側から見た斜視図
【図４】同マグネット式ファイルボードの使用例を示し、本体ボードの中央スペース内の書類をホワイトボードペンで指し示す状態を示す正面側から見た斜視図
【図５】同マグネット式ファイルボードの使用例を示し、本体ボードの中央スペース内の書類の上からＰＶＣ板上にホワイトボードペンで下線を引くなど、書類の上のＰＶＣ板の上からホワイトボードペンで筆記した状態を示す正面側から見た斜視図
【図６】本考案の第２の実施の形態におけるマグネット式ファイルボードを示すもので、特に、本体ボードの上端に上方に延びる突片が設けられ、この突片に穴が前後に向けて貫通形成されて、この穴に吸盤などを挿着できるようにした状態を示す正面側から見た斜視図
【考案を実施するための形態】
【００１０】
次に、この考案を実施するための形態について図を用いて説明する。図１乃至図３に第１の実施の形態を示している。図１に示すように、マグネット式ファイルボードは、本体ボード１０に、ＰＶＣ板２０、磁石装置４０内蔵の副体ボード３０、筆入れ１１を備え、これらのパーツから構成される。
【００１１】
ＰＶＣ板２０は本体ボード１０の上に付けられる。この場合、ＰＶＣ板２０は透明で、本体ボード１０の正面に付設されて、ホワイトボードのように筆記及び消し取り可能に構成される。また、この場合、本体ボード１０とＰＶＣ板２０との間にスペース２１（以下、中央スペース２１という。）が形成される。
【００１２】
副体ボード３０は本体ボード１０に連結される。この場合、副体ボード３０は本体ボード１０の上端に本体ボード１０（の正面）上に傾倒可能に形成される。この副体ボード３０の中には磁石装置４０が設置される。この場合、磁石装置４０にマグネットシートが採用され、副体ボード３０の中にマグネットシート４０が入っており、本体ボード１０（内の磁性体）に吸着可能に構成される。
【００１３】
筆入れ１１は本体ボード１０に取り付けられる。この場合、筆入れ１１は筒状のホルダーで、本体ボード１０の正面側の一方の側縁部上部に、図２に示すように、ペンを当該側縁部に沿って保持可能に結合される。
【００１４】
また、本体ボード１０の裏面には、図３に示すように、止めピース５０が設けられる。この止めピース５０は所定形状（この場合、略台形）のシートで、本体ボード１０の一方の側縁部と下縁部に沿って連接され、本体ボード１０と止めピース５０との間にスペース５１（以下、裏面スペース５１という。）が形成される。
【００１５】
このマグネット式ファイルボードの使用例を図２乃至図５に示している。図２に示すように、本体ボード１０とＰＶＣ板２０との間の中央スペース２１に書類Ａを入れることで、書類Ａを収納することができ、副体ボード３０を本体ボード１０の上に倒して副体ボード３０内のマグネットシート４０を本体ボード１０に吸着させることで、この副体ボード３０により中央スペース２１内の書類を挟むことができる。そして、本体ボード１０の脇に取り付けられた筆入れ１１にホワイトボードペンＰ他各種のペンを差し込むことができる。また、図３に示すように、本体ボード１０と止めピース５０との間の裏面スペース５１を利用して書類を収納することができる。このようにして、図４に示すように、中央スペース２１内の書類ＡをホワイトボードペンＰ他各種のペンで指し示すことができ、図５に示すように、中央スペース２１内の書類Ａの上にＰＶＣ板２０の上からホワイトボードペンＰで下線を引くなど、書類Ａの上にＰＶＣ板２０の上からホワイトボードペンＰで筆記することができ、また当該筆記を消し取ることもできる。この場合、中央スペース２１に収納される書類Ａをはっきり見ることができ、この書類Ａの上にＰＶＣ板２０の上から書き込みを行うことができ、大切な書類Ａそれ自体に書き込みの影響が及ぶことは一切ない。また、この本体ボード１０とＰＶＣ板２０の構成から、従来のファイルボードと異なり、模様を自由に変えることができる。
【００１６】
以上説明したように、このマグネット式ファイルボードによれば、一つのボードにホワイトボード、ファイルケース、ファイルボードの三つの働きを有し、従来のファイルボードと異なり、ファイルボードの他にホワイトボードやファイルケースが必要な場合にこれらを携行する必要がなく、持ち歩く物を少なくすることができ、使用者は僅かな負担で、大きな利便性を得ることができる。すなわち、ホワイトボード、ファイルケース、ファイルボードを使用する各種の仕事において、手間を大幅に省いて、仕事の効率の向上を図ることができる。また、従来の金属クリップからマグネットシート４０内蔵の副体ボード３０に代えたことで、鉄片、針金などの金属材料を使わないので、生産コストを著しく下げて、価額を引き下げることができ、使用者により安くより便利なファイルボードを提供することができる。さらに、このファイルボードはホワイトボードの代わりに使用することもでき、紙の節約になり、地球にも優しく、我々人類の生活環境の改善に資することができる。
【００１７】
図６に第２の実施の形態を示している。なお、このマグネット式ファイルボードは本体ボードの上部に突片を備えた点が第１の実施の形態と異なり、他の構成は第１の実施の形態と同じなので、ここでは、第１の実施の形態と同一の部材には同じ符号を付してその重複した説明を省略する。図６に示すように、このマグネット式ファイルボードでは、本体ボード１０の上端に上方に延びる突片が設けられ、この突片に穴１２が前後に向けて貫通形成される。このようにすることにより、突片の穴１２を利用して、吸盤１３などを挿着することができ、このマグネット式ファイルボードを吸盤１３などを使って壁や鏡などに掛けることができる。
【符号の説明】
【００１８】
１０  本体ボード
１１  筆入れ
１２  穴
１３  吸盤
２０  PVC板
２１  中央スペース
３０  副体ボード
４０  マグネットシート（磁石装置）
５０  止めピース
５１  裏面スペース
Ａ    書類
Ｐ    ホワイトボードペン
【図１】
0003153948.tif 000003
【図２】
0003153948.tif 000004
【図３】
0003153948.tif 000005
【図４】
0003153948.tif 000006
【図５】
0003153948.tif 000007
【図６】
0003153948.tif 000008